(57)【要約】【課題】  電子機器ケース１の外形寸法を大きくすることなく，Ｆ型プラグの取付性を向上する。【解決手段】  高周波機器４を収納可能な前面が開放された本体２と，この本体２の開放部を覆う蓋体３とから成り，前記本体２の背面の側に，マスト取付部材５と壁面取付部材７の両取付部材を備えた電子機器ケース１において，前記マスト取付部材５が形成されている背面１１を基準面として，前記マスト取付部材５の突出寸法が，前記壁面取付部材７の突出寸法と同じか乃至はそれより小さくなるように形成する。前記本体２の背面には，前記マスト取付部材７が形成されている背面１１と，前記壁面取付部材７が形成されている背面１３の高さが異なるように，同一面上に段差を持たせる。【選択図】図３
2008166843.tif 000002
【特許請求の範囲】
【請求項１】
高周波機器を収納可能な前面が開放された本体と，この本体の開放部を覆う蓋体とから成り， 前記本体の背面の側に，マスト取付部材と壁面取付部材の両取付部材を備えた電子機器ケースにおいて，前記マスト取付部材が形成されている背面を基準面として，前記マスト取付部材の張出寸法が，前記壁面取付部材の張出寸法と同じか乃至はそれより小さくなるように形成されていると共に，前記マスト取付部材が形成されている背面と，前記壁面取付部材が形成されている背面の高さが異なるように，同一面上に段差を持たせて形成したことを特徴とした電子機器ケース。
【発明の詳細な説明】
【技術分野】
【０００１】
本発明は，主にアンテナに接続するブースター，コンバーター，あるいは混合器等の電子機器ケース（以下，単にケースと呼ぶ）に関し，詳しくはアンテナマストに対する取付けと，家屋の壁面に対する取付けの，二様の取付けを可能にしたケースの構造に関するものである。
【背景技術】
【０００２】
従来この種のケース１においては，図1及び図２に示すように，本体の背面１１の側に，マストに取付可能なマスト取付部材５と，家屋の壁面に取付可能な壁面取付部材７の両取付部材を備えているので，周知のようにケース１をマストあるいは壁面のいずれかにも取付けができる構成となっている。マスト取付部材５は，本体２の略中央に設けられ，本体２の背面１１に固着されマストや壁面に当接させる当付座１６と，マストに取付ける為のＵ字型ボルト２３，押え具２４，締付ねじ２５等の部材からなる。そして，上記部材は上記マスト取付部材５に備えられるとともに，上記部材を本体２下方の縁端に設けた収納部４０に保持可能とし，しかも，押え具２４等の部材の本体背面１１からの張出寸法が，上記アンテナ取付部５の当付座１６の張出寸法と同じか，乃至はそれより小さくなるように設定されており，メーカー出荷時の梱包状態を小型化，また，上記Ｕ字型ボルト２３，押え具２４，締付ねじ２５等の部材の梱包忘れを防止するように構成されている。
【０００３】
また，家屋の壁面に取付ける壁面取付部材７は，本体の下方の両端付近に２ヵ所設けられて，当該壁面取付部材７に備えさせた止着ねじ３７を壁に向けて螺進させることにより壁面への取付けを行う。  上記壁面取付部材７の本体の背面１１からの張出寸法が上記当付座１６の張出寸法と同高となるように形成されているので，上記当付座１６はケース１を壁面に押付ける力に対して支えとなる補強効果となっていた。  更に詳しく言えば，ケース１の取付けがすんだならば，その状態で内部の高周波回路基板に備わっている接続端子にケーブル（周知である同軸ケーブル，フィーダー）の接続を行う。その場合，ドライバーによって接続用の螺子を大きな力で壁面方向に押しながら螺子止め作業を行っても，壁面に当接している当付座１６がその大きな力を支えるためケース１が壁面の側によることが防止され，壁面取付部材７の破損が防止されるよう構成されていた。
（例えば，特許公報第２５７２９８１号）
【特許文献１】特許第２５７２９８１号公報
【発明の開示】
【発明が解決しようとする課題】
【０００４】
しかしながら，ＢＳデジタル放送や１１０°ＣＳデジタル放送の中間周波数帯を利用する分配器やブースター等の高周波回路は略１ＧＨｚ〜２．６ＧＨｚ帯までを使うようになり，また，信号がデジタル変調されていることから，高周波回路に妨害波が飛び込んで，受信画像に妨害が発生しないよう，前記高周波回路を組み込んだ基板を金属ケースに収容すると共に，接続端子にはＦ型コネクターを使用した高周波機器を構成することで，特性の安定化を図り，当該高周波回路のイミュニティーを良くする必要が生じてきた。
【０００５】
このように形成された高周波機器は，屋外にも設置できるよう，前記ケースに収納されているのである。ところがこの高周波機器は，高周波回路との接続コネクターとしてＦ型コネクターを用いているので，アンテナからのケーブルや宅内等へ引き込むためには，先端にＦ型プラグを組付けたケーブルを，指先で取付けた後，最終的には工具を使って適正トルクで持って確実に接続する必要が生じる。  この時，従来のケースの外形寸法を維持しつつ，上述の衛星放送受信のための増幅回路の追加による入・出力端子の増設に対応するために，ケースのケーブル挿通孔の増設（例えば，従来は挿通孔が４つであったものを５つにする。）が必要となった。この結果，前記壁面取付部材に備えさせた止着ねじと，前記Ｆ型コネクターの位置が近接して配置されることになり，前記Ｆ型プラグをＦ型コネクターに接続する場合の，（１）指先でもってＦ型プラグをＦ型コネクターに仮止めする，（２）工具でもってのＦ型プラグを適正トルクで締め付ける。といった作業手順において，前記止着ねじが邪魔になって取付性が悪いと言った問題があった。  そこで，本願においては上記従来技術の問題点を解決するためになされたものであり， その目的は高周波機器を収納するケースの構造を提供するものである。     他の目的は，高周波機器の調整等が容易にできるよう蓋体が開閉自在であるケースの構造を提供するものである。  他の目的は，マスト及び壁面の何れに対する取付けも可能なケースの構造を提供するものである。   他の目的は，壁面に取付ける場合においては，壁面になるべく近く沿わせて取付可能なケースの構造を提供するものである。  他の目的は，Ｕ字形ボルト，押え具，締付ねじ等を収納した状態で壁面取付可能なケースの構造を提供するものである。   他の目的は，Ｆ型プラグを接続するときの取付性の良いケースの構造を提供するためのものである。  他の目的は，本体の背面に段差を持たせ，少なくとも２面以上の平面からなるように構成したケース構造を提供するものである。
【課題を解決するための手段】
【０００６】
上記課題を解決するために，請求項1の発明は，高周波機器を収納可能な前面が開放された本体と，この本体の開放部を覆う蓋体とから成り，前記本体の背面の側に，マスト取付部材と壁面取付部材の両取付部材を備えた電子機器ケースにおいて，前記マスト取付部材が形成されている背面を基準面として，前記マスト取付部材の張出寸法が，前記壁面取付部材の張出寸法と同じか乃至はそれより小さくなるように形成されていると共に，前記マスト取付部材が形成されている背面と，前記壁面取付部材が形成されている背面の高さが異なるように，同一面上に段差を持たせるよう構成する。
【発明の効果】
【０００７】
以上のように本発明にあっては，高周波機器を収納可能な前面が開放された本体と，この本体の開放部を覆う蓋体とから成り，前記本体の背面の側に，マスト取付部材と壁面取付部材の両取付部材を備えた電子機器ケースにおいて，前記マスト取付部材が形成されている背面を基準面として，前記マスト取付部材の張出寸法が，前記壁面取付部材の張出寸法と同じか乃至はそれより小さくなるように形成されていると共に，前記マスト取付部材が形成されている背面と，前記壁面取付部材が形成されている背面の高さが異なるように，同一面上に段差を持たせるよう構成したので，マスト取付時でも，ケースに収納した高周波機器のＦ型コネクターに，ケーブルの先端に取付けられたＦ型プラグを接続するときに，前記壁面取付部材に備えさせた止着ねじに邪魔されずに取付作業が出来るので，作業性の良いケースが提供できる。  更にまた，壁面取付時においても本願のケースを用いれば，従来のケースの場合の，壁面取付部材に備えられた止着ねじの壁面との螺合寸法は同じのまま，止着ねじの寸法を段差分だけ短く出来ることから，ケースのコストダウンが出来ると言った有用性を備えたケースが提供できるのである。
【発明を実施するための最良の形態】
【０００８】
以下本願の実施例を示す図面について説明する。図１は従来のケースの背面図であり，図２は従来のケースの底面図である。図３は本願のケースに高周波機器の取付状態を示す分解斜視図である。図４は本願のケースの背面図であり，図５は本願のケースの底面図である。図６は図４におけるＡ−Ａ線要部断面図である。図７は図４におけるＢ−Ｂ線要部断面図である。図８は本願のケースを壁面へ取付けたときの状態を示し，図９は本願のケースをマストへ取付けた状態を示す。図１０（ａ）は本願のＦ型プラグを接続する作業範囲を示す概略底面図であり，（ｂ）は従来のケースの場合の作業範囲を示す概略底面図を示す。
【０００９】
ケース１は前面が開放された本体２とその本体２の開放部を覆うよう本体２に対し開閉自在に取付けた蓋体３とから成り，更に上記本体２にはマスト取付部材５と，壁面取付部材７と，マスト取付部材５の保持部８とが備わっている。  上記本体２と蓋体３は合成樹脂材料を型成形して製造されている。この本体２において，１１は背板，１２は底板，１２ａは挿通孔，１３は背板を下方へ張出させた張出片で，背板１１の一部として形成されると共に，前記背板１１とは異なる平面上に形成されていることで，ケース１の背面は段差を有する形状に形成されている。  上記本体には高周波回路を収納し，Ｆ型コネクター４ａ，４ａ…を備えさせた金属材料でシールドされた高周波機器４が収納される。
【００１０】
次に上記マスト取付部材５は，本体２の背板１１と一体形成した当付座１６と，本体２に対して起倒自在の締着具１７とから成る。上記当付座１６において，１８はマストに対する添付部，１９は締着具引止用の透孔，２０は締着具の上方への移行を阻止する為のストッパ，２１は締着具の下倒防止用の膨出部を夫々示す。
【００１１】
次に締着具１７はＵ字形ボルト２３と押え具２４と締付ねじ２５から成る。上記Ｕ字形ボルト２３は周知のもので当付座の透孔１９に挿通されており，持出部の自由端部２７近くにはねじ溝が形成されている。
【００１２】
次に上記押え具２４は長方形状の金属板の長辺を断面略コ字形にプレスして形成されており，マスト４４に対する添付部２８と上記自由端部２７への連結部２９を備える。連結部２９には周知の如く持出部の自由端部２７を挿通する為の透孔が形成されており，その内の一方の透孔は図２に示されるように外部との連通部２９ａを有している。  上記締付ねじ２５は持出部２７のねじ部に螺合されており，自由端部２７に取付けた止輪３０（例えば軟質塩化ビニール製）でもって脱落が防止されている。
【００１３】
次に上記壁面取付部材７は止着ねじ３７と壁面取付用の座３４構成され，当該座３４は張出片１３と一体に筒状に形成されており，当該座３４の挿通孔３５には止着ねじ３７が取付けられている。張出片１３は背板１１の一部として形成さると共に，前記背板１１とは異なる平面上に形成されている。すなわち，ケース１の背面１１と張出片１３とで段差を有する形状に形成されている。
【００１４】
上記座３４の長さは図６に示されるように，背板１１が形成する平面を基準面としての張出寸法Ｌ１と，背板１１に一体に形成された前記当付座１６の張出寸法Ｌ２と同程度に形成してあり，太さは壁面４５に対するケース１の安定な取付状態を達成できるよう形成してある。更に，上述のようにケース１の背面１１には，基準面としての平面を形成する背板１１と，張出片１３の形成する背面１３とを異なる平面で形成したので，ケース１を壁面４５に取付けたときに，従来のケース１が壁面取付時に持っていた，止着ねじ３７の壁面に対する螺合寸法を維持しながら，止着ねじ３７の寸法を従来の止着ねじ３７よりも段差分（図６におけるＬ２−Ｌ３分）だけ短く出来るので，材料費のコストダウンになるのである。  更にまた，上述のように張出片１３を背板１１に対して段差を設けて形成したので，前記底板１２に一体に形成され，二重の筒部を備えたケーブルの挿通孔１２ａと前記止着ねじ３７との離隔距離が従来と比較して広くでき，ケース１に収納された前記高周波機器４のＦ型コネクター４ａに，ケーブルのＦ型プラグを接続するときの取付けの容易性が一層優れたものとなる。
【００１５】
次に保持部８において，４０は張出片１３に形成され，前記押え具２４の一部を底板１２と重合する位置まで侵入させて，本体２における背板１１の背面からの押え具２４の出張り寸法Ｌ４を，上記座３４の出張り寸法と同程度乃至はそれよりも小さくできるように形成されている収納部である。４１は張出片１３及び背板１１と一体形成された凹部で，当該凹部４１の底部４１ａは背板１１と同一平面上になるように形成されている。また前記背板１１と張出片１３とをつないでいる凹部側板部４１ｂ，４１ｂは，前記押え金具２４の断面略コ字型に形成した内面側が収まるような寸法になるよう，背面１１方向に突出させて形成されており，押え具２４と収納部４０とは重合されて保持される。また，前記凹部４１の内面側であって，前記側板部４１ｂと４１ｂとの間隔は，前記Ｕ字型ボルト２３を背板１１に沿わせて収納したときに，前記Ｕ字型ボルト２３が左右にぶれることなく，位置決めができるような間隔になるように形成されている。
【００１６】
更に，押え具２４を保持した状態でＵ字型ボルトは，本体における背板１１と一体成型の止片４６に吊り掛っているため下方への落下が防止され，かつ背板１１からの浮き上がりは上記保持状態にある押え具２４によって阻止される。
【００１７】
上記構成のケース１は，メーカーから出荷されるに当たっては，マスト取付部材５における締着具１７が図３示されるように本体２の背板１１に沿わされた状態となっている。このようなケースを図９に示されるようにマスト４４に取付ける場合には，マスト取付部材５における締着具17をその持出部２７が膨出部２１を乗り越えるように起立させる。そして周知のようにマスト４４を当付座１６と押え具２４とでもって両側から挟み，締付ねじ２５を締めてマスト４４に対する固定を行う。
【００１８】
一方，マスト取付状態で使用されていたケース１を図８に示されるように壁面４５に対して取付ける場合は，止着ねじ３７をドライバー等の工具を用いて壁に向けて螺進させることにより取付けを行う。尚，本実施例においてはＵ字形ボルト２３，押え具２４，締付ねじ２５等を当付座１６から外して壁面に取付けても良いし，前記部材を本体２の収納部４０に収めた状態で壁面に取付けてもよい。
【００１９】
上記のように取付けが済んだならば，その状態で図１０に示すように本体２に収納した高周波機器４のＦ型コネクター４ａに同軸ケーブル４７のＦ型プラグ４８の接続を行う。この作業手順としては，先ず指先で持って，Ｆ型プラグ４７をＦ型コネクター４ａに接続する。次にモンキースパナー等の工具を用いてＦ型プラグ４８を適正トルクとなるように締め付ける。  この時，上記壁面取付部材７は止着ねじ３７と壁面取付用の座３４から構成され，当該座３４は張出片１３と一体に形成されている。張出片１３は背板１１の一部として形成さると共に，前記背板１１とは異なる平面上に形成されている。すなわち，ケース１の背面１１と張出片１３とで段差を有する形状に形成されているので，ケース１を壁面に取付けたときに，従来のケース１が壁面取付時に持っていた，本願の発明によれば，止着ねじ３７の壁面に対する螺合寸法を維持しながら，止着ねじ３７の寸法を従来の止着ねじ３７よりも短く出来るので，材料費のコストダウンになるのである。
【００２０】
更にまた，上述のように張出片１３を背板１１に対して段差を設けて形成したので，前記底板１２に一体に形成され，二重の筒部を備えたケーブルの挿通孔１２ａと前記止着ねじ３７との離隔距離が従来と比較して広く出来るので，ケース１に収納された前記高周波機器４のＦ型コネクター４ａに，ケーブルのＦ型プラグを接続するときの取付けの容易性が一層優れたものとなる。
【図面の簡単な説明】
【００２１】
【図１】従来のケースの背面図。
【図２】従来のケースの底面図。
【図３】本願のケースに高周波機器を収納するときの状態を示す分解斜視図。
【図４】本願のケースの背面図。
【図５】本願のケースの底面図。
【図６】図４におけるＡ−Ａ線要部断面図。
【図７】図４におけるＢ−Ｂ線要部断面図。
【図８】本願のケースを壁面へ取付けたときの状態を示す。
【図９】本願のケースをマストへ取付けたとき状態を示す。
【図１０】（ａ）は本願のＦ型プラグを接続する作業範囲を示す概略底面図であり，（ｂ）は従来のケースの場合の作業範囲を示す概略底面図を示す。
【符号の説明】
【００２２】
１…電子機器ケース（ケース），２…本体，３…蓋体，５…マスト取付部材，７…壁面取付部材，８…保持部，１１…背板，１２…底板，１３…張出片，１６…当付座，１７…締着具，１８…添付部，２０…ストッパ，２１…膨出部，２３…Ｕ字形ボルト，２４…押え具，２５…締付ねじ，２７…持出部の自由端部，２８…添付部，２９…連結部，２９ａ…連通部，３０…止輪，34…座，35…挿通孔，３７…止着ねじ，４０…収納部，４１…凹部，４４…マスト，４５…壁面，４６…止片，４７…同軸ケーブル，４８…Ｆ型プラグ
【図６】
2008166843.tif 000003
【図７】
2008166843.tif 000004
【図１０】
2008166843.tif 000005
【図１】
2008166843.tif 000006
【図２】
2008166843.tif 000007
【図３】
2008166843.tif 000008
【図４】
2008166843.tif 000009
【図５】
2008166843.tif 000010
【図８】
2008166843.tif 000011
【図９】
2008166843.tif 000012
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
高周波機器を収納可能な前面が開放された本体と、この本体の開放部を覆う蓋体とから成り、前記本体の背面の側に、該本体をマストに取り付けるためのマスト取付部材と、該本体を壁面に取り付けるための壁面取付部材と、の両取付部材を備えた電子機器ケースにおいて、
前記マスト取付部材が形成されている背面を基準面として、前記マスト取付部材の張出寸法が、前記壁面取付部材の張出寸法と同じか乃至はそれより小さくなるように形成されていると共に、前記マスト取付部材が形成されている背面と、前記壁面取付部材が形成されている背面の高さが異なるように、同一面上に段差を持たせて形成しており、
さらに、
前記本体の背面から張り出した当付座と、
該当付座に対して起倒自在に取り付けられると共に、前記本体の下方へ向けて該本体の背面に沿わされた保持状態，および，前記本体の背面に対して起立してマストへの取り付けを行う固定状態それぞれに変位可能な締着具と、
該締着具に取り付けられると共に、該締着具が前記固定状態となっているときに前記当付座との間にマストを挟むことにより、該マストに対する固定を実現する押え具と、
前記本体の下端から、前記保持状態となっている前記締着具を挟んだ位置関係で、それぞれ前記本体の下方へ向けて張り出した一組の張出片と、を備えており、
前記壁面取付部は、前記張出片において前記蓋体の下端より下方に位置する領域それぞれに形成された筒状の座と、該座それぞれに形成された挿通孔に取り付けられた止着ねじと、で構成されている
ことを特徴とする電子機器ケース。
【請求項２】
前記締着具を前記保持状態とした際に、該締着具に取り付けられた前記押え具の少なくとも一部を前記本体に重合する位置まで侵入させて収納することにより、該収納させた押え部の前記本体背面からの出張り寸法を小さくする収納部，を備えている
ことを特徴とする請求項１に記載の電子機器ケース。
【手続補正２】
【補正対象書類名】明細書
【補正対象項目名】０００６
【補正方法】変更
【補正の内容】
【０００６】
上記課題を解決するための発明は，高周波機器を収納可能な前面が開放された本体と，この本体の開放部を覆う蓋体とから成り，前記本体の背面の側に，マスト取付部材と壁面取付部材の両取付部材を備えた電子機器ケースにおいて， 前記マスト取付部材が形成されている背面を基準面として，前記マスト取付部材の張出寸法が，前記壁面取付部材の張出寸法と同じか乃至はそれより小さくなるように形成されていると共に，前記マスト取付部材が形成されている背面と，前記壁面取付部材が形成されている背面の高さが異なるように， 同一面上に段差を持たせるよう構成する。